(57)【要約】【課題】調芯の安定化を図るコネクタを提供する。【解決手段】コネクタ１０は、ケースＲ側と電気的に接続されるコネクタピン部と、コネクタピン部を相手側部材に面するように収容する筒状の筒状部１１と、筒状部１１のコネクタピン部が面する側とは反対側の端部から延出してブラケット３０と係合する第１及び第２ブラケット保持部２１，２２とを有する。第１及び第２ブラケット保持部２１，２２は、ブラケット３０を挿通可能な挿通溝２３，２４を有し、筒状部１１のコネクタピン部が面する側とは反対側の端部である下面１１ａに２つ設けられる。【選択図】図８
2019009047.tif 000002
【特許請求の範囲】
【請求項１】
支持部材により遊動可能に支持されるコネクタであって、
相手側部材と電気的に接続される接続部と、該接続部を前記相手側部材に面するように収容する筒状の筒状部と、前記筒状部の前記接続部が面する側とは反対側の端部から延出して前記支持部材と遊動が許容された状態で係合する係合部とを有し、
前記係合部は、前記支持部材を挿通可能な挿通溝を有し、前記筒状部の前記接続部が面する側とは反対側の端部端部に複数設けられるコネクタ。
【請求項２】
請求項１に記載のコネクタであって、
前記係合部は、２つ設けられ、前記筒状部の周方向１８０度反対側に位置するように設けられるコネクタ。
【請求項３】
請求項１又は２に記載のコネクタであって、
複数設けられる前記係合部は、下端面が面一であるコネクタ。
【請求項４】
請求項１〜３のいずれか一項に記載のコネクタであって、
複数設けられる前記係合部の１つが前記筒状部から逸脱した位置に設けられるコネクタ。
【請求項５】
請求項１〜４のいずれか一項に記載のコネクタであって、
複数設けられる前記係合部の１つに、ハーネスを保持するハーネス保持部が一体的に設けられるコネクタ。
【請求項６】
コネクタと該コネクタを遊動可能に支持する支持部材とを備えた電気部品を相手側部材に組み付けることにより、前記コネクタを前記相手側部材の装着箇所に取り付けるためのコネクタの取付構造であって、
前記支持部材は、前記コネクタが組み付けられた状態で前記コネクタの遊動を許容し、
前記コネクタは、前記相手側部材と電気的に接続される接続部と、該接続部を前記相手側部材に面するように収容する筒状の筒状部と、前記筒状部の前記接続部が面する側とは反対側の端部から延出して前記支持部材と遊動が許容された状態で係合する前記支持部材と係合する係合部とを有し、
前記係合部は、前記支持部材を挿通可能な挿通溝を有し、前記筒状部の前記接続部が面する側とは反対側の端部端部に複数設けられることを特徴とするコネクタの取付構造。
【発明の詳細な説明】
【技術分野】
【０００１】
本発明は、コネクタ及びコネクタの取付構造に関するものである。
【背景技術】
【０００２】
従来、例えば、自動車のオートマチックトランスミッション等に用いられる電機部品として、コネクタとこのコネクタを支持する支持部材とを備え、電気部品を相手側に組み付けることにより、コネクタが相手側部材における所定の装着箇所に取り付けられる構成のものがある（例えば、特許文献１参照）。
【０００３】
特許文献１のコネクタは、相手側部材と電気的に接続される接続部と、該接続部を前記相手側部材に面するように収容する筒状の筒状部と、前記筒状部の前記接続部が面する側とは反対側の端部から延出して支持部材と係合する１つの係合部とを有する。係合部は筒状部の端部において筒状部の径方向外側寄りに１つ設けられ、支持部材（係止片）を挿通可能な挿通溝が設けられる。また、支持部材は、前記挿通溝に挿通される係止片によって支持部材は、前記コネクタが前記所定の装着箇所に取り付けられる直前までは、前記コネクタの遊動を規制しているものの、前記コネクタが支持部材に組み付けられて前記所定の装着箇所に取り付けられる取付途上においては、前記コネクタの遊動を可能となっている。
【先行技術文献】
【特許文献】
【０００４】
【特許文献１】特開２０１６−５８１３７号公報
【発明の概要】
【発明が解決しようとする課題】
【０００５】
ところで、上記のようなコネクタの取付構造では、１つの係合部により支持部材と遊動可能に支持されるが、支持部材との遊動可能に支持する構成を安定化させて調芯の安定化を図ることが望まれている。
【０００６】
本発明は、上記課題を解決するためになされたものであって、その目的は、調芯の安定化を図るコネクタ及びコネクタの取付構造を提供することにある。
【課題を解決するための手段】
【０００７】
上記課題を解決するコネクタは、支持部材により遊動可能に支持されるコネクタであって、相手側部材と電気的に接続される接続部と、該接続部を前記相手側部材に面するように収容する筒状の筒状部と、前記筒状部の前記接続部が面する側とは反対側の端部から延出して前記支持部材と遊動が許容された状態で係合する係合部とを有し、前記係合部は、前記支持部材を挿通可能な挿通溝を有し、前記筒状部の前記接続部が面する側とは反対側の端部端部に複数設けられる。
【０００８】
この構成によれば、筒状部の接続部が面する側とは反対側の端部から延出して支持部材と係合する係合部がその端部に複数設けられる。このように係合部を複数設ける構成とすることで、支持部材と複数箇所で遊動可能に支持（係合）されることとなるため、支持部材との遊動可能に支持する構成を安定化させて調芯の安定化を図ることができる。
【０００９】
上記のコネクタにおいて、前記係合部は、２つ設けられ、前記筒状部の周方向１８０度反対側に位置するように設けられることが好ましい。
この構成によれば、係合部は２つ設けられ筒状部の周方向１８０度反対側に位置するように設けられるため、支持部材を挿通溝に挿通させて係合させる際に安定した支持が可能となる。
【００１０】
上記のコネクタにおいて、複数設けられる前記係合部は、下端面が面一であることが好ましい。
この構成によれば、複数設けられる係合部の下端面が面一であるため、コネクタの係合部の下端面側で安定して載置することができる。
【００１１】
上記のコネクタにおいて、複数設けられる前記係合部の１つが前記筒状部から逸脱した位置に設けられることが好ましい。
この構成によれば、係合部の１つが筒状部から逸脱した位置に設けられることで、係合部間の距離が長くなるため支持部材による安定した支持が可能となる。
【００１２】
上記のコネクタにおいて、複数設けられる前記係合部の１つに、ハーネスを保持するハーネス保持部が一体的に設けられることが好ましい。
この構成によれば、ハーネス保持部が係合部の一つに一体的に設けられることで、部品点数を増やすことなくハーネスの保持することができる。
【００１３】
また、上記課題を解決するコネクタの取付構造は、コネクタと該コネクタを遊動可能に支持する支持部材とを備えた電気部品を相手側部材に組み付けることにより、前記コネクタを前記相手側部材の装着箇所に取り付けるためのコネクタの取付構造であって、前記支持部材は、前記コネクタが組み付けられた状態で前記コネクタの遊動を許容し、前記コネクタは、前記相手側部材と電気的に接続される接続部と、該接続部を前記相手側部材に面するように収容する筒状の筒状部と、前記筒状部の前記接続部が面する側とは反対側の端部から延出して前記支持部材と遊動が許容された状態で係合する前記支持部材と係合する係合部とを有し、前記係合部は、前記支持部材を挿通可能な挿通溝を有し、前記筒状部の前記接続部が面する側とは反対側の端部端部に複数設けられる。
【００１４】
この構成によれば、筒状部の接続部が面する側とは反対側の端部から延出して支持部材と係合する係合部がその端部に複数設けられる。このように係合部を複数設ける構成とすることで、支持部材と複数箇所で遊動可能に支持（係合）されることとなるため、支持部材との遊動可能に支持する構成を安定化させて調芯の安定化を図ることができる。
【発明の効果】
【００１５】
本発明のコネクタ及びコネクタの取付構造によれば、調芯の安定化が図られる。
【図面の簡単な説明】
【００１６】
【図１】一実施形態のコネクタ及びブラケットを組み付けた状態を示す斜視図。
【図２】同実施形態のコネクタ及びブラケットを取り外した状態を示す斜視図。
【図３】同実施形態のコネクタ及びブラケットの組み付け途中を示した正面図。
【図４】同実施形態のコネクタ及びブラケットの組み付け途中を示した一部切り欠き側断面図。
【図５】同実施形態のコネクタ及びブラケットの組み付け途中を示した正面図。
【図６】同実施形態のコネクタ及びブラケットの組み付け途中を示した一部切り欠き側断面図。
【図７】同実施形態のコネクタ及びブラケットの組み付け状態を示した正面図。
【図８】同実施形態のコネクタ及びブラケットの組み付け状態を示した一部切り欠き側断面図。
【図９】同実施形態のコネクタ及びブラケットの組み付け状態において幅方向及び上下方向に傾いた状態を示した正面図。
【図１０】同実施形態のコネクタ及びブラケットの組み付け状態において前後方向及び上下方向に傾いた状態を示した一部切り欠き側断面図。
【図１１】同実施形態のコネクタ及びブラケットの組み付け途中を示した断面図。
【図１２】同実施形態のコネクタ及びブラケットの組み付け状態を示した断面図。
【図１３】同実施形態のコネクタ及びブラケットの組み付け状態において幅方向及び前後方向に傾いた状態を示した断面図。
【発明を実施するための形態】
【００１７】
以下、コネクタを有する電気部品の一実施形態について、図１〜図１３に従って説明する。なお、各図面では、説明の便宜上、構成の一部を誇張又は簡略化して示す場合がある。また、各部分の寸法比率についても、実際と異なる場合がある。
【００１８】
図１〜図４に示すように、本実施形態では、自動車のオートマチックトランスミッションのケース（図示せず）内に配される電気部品１が、相手側部材としてのケースＲを介して外部回路に対して電気的に接続されるものを示す。なお、以下の説明において、幅方向とは図１の矢線Ｘ方向を基準とし、前後方向とは図１の矢線Ｙ方向を基準として図示右下側を前側とし、上下方向とは図１の矢線Ｚ方向を基準とする。
【００１９】
ケースＲは合成樹脂製のプレートＲ１を有している、プレートＲ１には、外部回路と接続される外部回路用接続部（図示略）と、電気部品１と接続される電気部品用接続部（図示せず）とが設けられている。この電気部品用接続部は、図１に示すように、プレートＲ１の一面（下面）に開口する取付孔（本発明の「装着箇所」の一例）Ｒ２の内部に設けられている。また、取付孔Ｒ２の開口縁には、外方（図示Ｚ方向下方）に向けて間口が次第に大きくなる傾斜面を有する案内面Ｒ３が周設されている。なお、取付孔Ｒ２には、次述するコネクタ１０が挿入可能（取付可能）である。
【００２０】
図１、図２、図７及び図８に示すように、電気部品１は、コネクタ１０と、コネクタ１０の下端部に取り付けられた支持部材としてのブラケット３０とを備えている。ブラケット３０は、コネクタ１０に組み付けられた状態でコネクタ１０の遊動を許容するように支持している。
【００２１】
ブラケット３０は、金属板を打ち抜き、折り曲げ加工することによって形成されている。ブラケット３０は、前後方向に延びる基底部３１と、基底部３１の後縁並びに前縁から上方に立ち上がる一対の取付片３２とを備えている。
【００２２】
各取付片３２は、その上端部を幅広に形成した第１幅広部３２ａと、その第１幅広部３２ａよりも下側（基底部３１側）に形成された第２幅広部３２ｂとを備えている。
第２幅広部３２ｂは、第１幅広部３２ａよりもやや幅広に設定されている。
【００２３】
また、取付片３２において第１幅広部３２ａの下端と第２幅広部３２ｂの上端との間は、第１幅広部３２ａよりも幅狭に形成された第１幅狭部３２ｃとされ、取付片３２において第２幅広部３２ｂの下端と連なる部分は、第２幅広部３２ｂよりも幅狭に形成された第２幅狭部３２ｄとされている。
【００２４】
また、取付片３２において板厚方向（前後方向）に貫通する貫通孔３３が設けられる。貫通孔３３は、第１幅狭部３２ｃから第２幅広部３２ｂの途中にかけての第１範囲Ａ１と、第２幅広部３２ｂの途中から第２幅狭部３２ｄにかけての第２範囲Ａ２とで幅が異なるように形成される。より具体的には、貫通孔３３の第１範囲Ａ１に対して第２範囲Ａ２が幅広に設定されている。貫通孔３３の第１範囲Ａ１の上下寸法は第２範囲Ａ２の上下寸法と略同程度に設定されている。
【００２５】
コネクタ１０は、上方に開口した円筒状をなす筒状部１１と、筒状部１１内部における奥端（下端）から上方に突出するように設けられる接続部としてのコネクタピン部１２とを有する。
【００２６】
筒状部１１の外周面における上端部には、カム溝１３が螺旋状に形成されている。一方、電気部品用接続部は回動部材（図示略）を有し、この回動部材に設けられたカムピン（図示略）がカム溝１３内に進入可能となっている。
【００２７】
このため、コネクタ１０を取付孔Ｒ２内部に挿入させカムピンをカム溝１３内部に進入させた後、前記回動部材を回動させることによりコネクタ１０が取付孔Ｒ２の奥方（上方）へ引き込まれる。そして、コネクタ１０が取付孔Ｒ２内部の正規位置まで挿入されると、コネクタ１０が電気部品用接続部と正規嵌合する。
【００２８】
筒状部１１の外周面においてカム溝１３の下方には、径方向内側凹状をなす溝部１４が周方向に連続するように設けられている。この溝部１４にはゴムリング１５が装着されており、筒状部１１が取付孔Ｒ２内部に挿入されると、ゴムリング１５が取付孔Ｒ２の内周面と溝部１４を構成する周面との間で周方向に亘って密着した状態となる。このため、取付孔Ｒ２の外部から内部に水が浸入することが規制される。
【００２９】
筒状部１１の下面１１ａ側には、第１及び第２ブラケット保持部２１，２２がそれぞれ設けられている。
第１ブラケット保持部２１は、筒状部１１の後端側の下面１１ａから垂下するように形成されている。すなわち、第１ブラケット保持部２１は、筒状部１１と上下方向において重なるように形成されている。
【００３０】
第２ブラケット保持部２２は、筒状部１１の下面１１ａ側から側方（前方）に延出した延出部１１ｂから垂下するように形成される。すなわち、第２ブラケット保持部２２は、筒状部１１と上下方向において重ならない位置（筒状部１１から逸脱した位置）に形成されている。また、第２ブラケット保持部２２は、第１ブラケット保持部２１に対して筒状部１１の周方向１８０度反対側に位置するように設けられる。
【００３１】
第１及び第２ブラケット保持部２１，２２の各下端面２１ａ，２２ａは面一となるように構成される。
第１及び第２ブラケット保持部２１，２２は、取付片３２の第１幅広部３２ａが挿通される第１挿通溝２３と、取付片３２の第２幅広部３２ｂが挿通される第２挿通溝２４とを備える。第１挿通溝２３が第２挿通溝２４の上方に配置されている。すなわち、第２挿通溝２４よりも第１挿通溝２３が筒状部１１の下面１１ａ寄りに設けられる。
【００３２】
また、第１及び第２ブラケット保持部２１，２２は、各挿通溝２３，２４の前後両側にそれぞれ配置された保護壁２５を有しており、挿通溝２３，２４が外部の衝撃によって損傷することが規制されている。
【００３３】
各第１挿通溝２３は、第１幅広部３２ａの両側側部を前後方向及び幅方向の双方から挟み付け可能に形成されている。すなわち、第１挿通溝２３は、断面略門形をなす一対の溝部を有し、この溝部を構成する奥面側であるＸ方向規制壁２３ａ同士が対向状態をなし両溝部が幅方向に所定間隔を空けて設置されている。Ｘ方向規制壁２３ａ同士の間隔は、第１幅広部３２ａの幅寸法とほぼ同じか、あるいは第１幅広部３２ａの幅寸法よりもやや大きめとなるように設定され、第１幅狭部３２ｃの幅寸法よりも幅広に設定されている。また、溝部を構成する前面側であるＹ方向規制壁２３ｂは、同後面側であるＹ方向規制壁２３ｃと対向配置され、各Ｙ方向規制壁２３ｂ，２３ｃの間隔は、第１幅広部３２ａの板厚とほぼ同じか、あるいは第１幅広部３２ａの板厚よりもやや大きめとなるように設定されている。
【００３４】
第２挿通溝２４は、第２幅広部３２ｂの両側縁部を前後方向及び幅方向の双方から挟み付け可能に形成されている。すなわち、第２挿通溝２４は、断面略門形をなす一対の溝部を有し、この溝部を構成する奥面側であるＸ方向規制壁２４ａ同士が対向状態をなし両溝部が幅方向に所定間隔を空けて設置されている。Ｘ方向規制壁２４ａ同士の間隔は、図１２に示すように、第２幅広部３２ｂの幅寸法とほぼ同じか、あるいは第２幅広部３２ｂの幅寸法よりもやや大きめとなるように設定され、図１２に示すように、第２幅狭部３２ｄの幅寸法よりも幅広に設定されている。また、溝部を構成する前面側であるＹ方向規制壁２４ｂは、同後面側であるＹ方向規制壁２４ｃと対向配置され、各Ｙ方向規制壁２４ｂ，２４ｃの間隔は、第２幅広部３２ｂの板厚とほぼ同じか、あるいは第２幅広部３２ｂの板厚よりもやや大きめとなるように設定されている。
【００３５】
第１及び第２ブラケット保持部２１，２２において第１挿通溝２３の上端と筒状部１１の下面１１ａとの間には、第１幅広部３２ａを収容可能とする第１収容空間２６ａが形成されている。第１収容空間２６ａは、その幅寸法が第１幅広部３２ａの幅寸法よりも幅広に設定され、その上下寸法が第１幅広部３２ａの上下寸法よりも大きめに設定されている。また、第１収容空間２６ａ内部に収容された第１幅広部３２ａは、両保護壁２５間で前後方向に自由に移動可能である。
【００３６】
なお、第１収容空間２６ａは、保護壁２５を略Ｔ字形に切り欠くことにより形成された切り欠き部２５ａにおいて幅方向に延びる開口部から前方に臨んでいる。この切り欠き部２５ａにおいて上下方向に延びる開口部の下端には、保護壁２５の板厚方向（取付片３２の板厚方向）に撓み可能な係止片２７が上方に突出して設けられている。
【００３７】
第１及び第２ブラケット保持部２１，２２において第１挿通溝２３の下端と第２挿通溝２４の上端との間には、第２幅広部３２ｂを収容可能とする第２収容空間２６ｂが形成されている。第２収容空間２６ｂは、その幅寸法が第２幅広部３２ｂの幅寸法よりも幅広に設定され、その上下寸法が第２幅広部３２ｂの上下寸法よりもやや大きめとなるように設定されている。また、第２収容空間２６ｂ内部に収容された第２幅広部３２ｂは、両保護壁１７間で前後方向に自由に移動可能である。
【００３８】
また、本例のコネクタ１０では、第２ブラケット保持部２２側にハーネス保持部４０が設けられる。ハーネス保持部４０は、上下方向の一方側である下方側が開口された溝状をなしている。ハーネス保持部４０の下方側の開口部４０ａ寄りには、対向する側壁４１からそれぞれ延出する２つの保持片４２を有する。保持片４２は、開口部４０ａの開口量を狭めて開口部４０ａからハーネスが脱落することが抑えられている。また、各保持片４２は、開口部４０ａ側にテーパ部を有する。各テーパ部は、開口部４０ａ側ほど互いに離間するような傾斜面となっている。これによって、開口部４０ａ側からハーネスを挿通（収容）しやすくなっている。
【００３９】
さて、上述したようにコネクタ１０は、ブラケット３０に対して規制位置と許容位置との間で上下方向に移動可能となっており、取付孔Ｒ２に取り付けられる直前までは、規制位置に位置して遊動が規制されているものの、取付孔Ｒ２に取り付けられる取付途上においては、許容位置に位置して遊動が許容されるように構成されている。
【００４０】
コネクタ１０が規制位置にあるときには、図３に示すように、第１幅広部３２ａの上端部が第２挿通溝２４の下端部に進入した状態となっている。このため、コネクタ１０は、前後方向に移動することが規制されている。
【００４１】
コネクタ１０が許容位置へ向かう途上では、図５に示すように、第１幅広部３２ａが第１挿通溝２３内によって挿通され、第２幅広部３２ｂが第２挿通溝２４によって挿通されている。このため、コネクタ１０は、幅方向及び前後方向の双方に移動することが規制されている。このとき係止片２７は、図６に示すように撓み変形しつつ、上端係止面２７ａが取付片３２において第１幅広部３２ａを乗り上げた状態となっている。そして、コネクタ１０が許容位置に至ると、図８に示すように、係止片２７が復帰して上端係止面２７ａが貫通孔３３に嵌り込んだ状態となる。
【００４２】
コネクタ１０が許容位置にあるときには、図７に示すように、第１幅広部３２ａが第１収容空間２６ａ内に収容され、第１幅狭部３２ｃが第１挿通溝２３の両溝部間に配置され、第２幅広部３２ｂが第２収容空間２６ｂ内に収容され、第２幅狭部３２ｄが第２挿通溝２４の両溝部間に配置されている。このため、コネクタ１０は、図９、図１０、又は図１３に示すように、幅方向及び前後方向の双方に移動することが許容される。
【００４３】
さらに、上下方向については、図８に示すように、係止片２７の上端係止面２７ａと貫通孔３３の内周面における上面との間に隙間が形成されているから、この隙間の分だけコネクタ１０が上方へ移動することが許容される。
【００４４】
コネクタ１０は、図７及び図８に示すように、遊動可能な状態でブラケット３０に取り付けられているから、図９に示すように、幅方向及び上下方向に移動することが許容されると共に、図１０に示すように、前後方向及び上下方向に移動することが許容される。
【００４５】
次に、本実施形態の作用について説明する。
コネクタ１０が許容位置（組み付け状態）にあるときには、図７に示すように、第１幅広部３２ａが第１収容空間２６ａ内に収容され、第１幅狭部３２ｃが第１挿通溝２３の両溝部間に配置され、第２幅広部３２ｂが第２収容空間２６ｂ内に収容され、第２幅狭部３２ｄが第２挿通溝２４の両溝部間に配置されている。このため、コネクタ１０は、図９、図１０、又は図１３に示すように、幅方向及び前後方向の双方に移動することが許容される。
【００４６】
引き続き、電気部品１のケースＲへの組み付けを行い、コネクタ１０を取付片３２に対して相対的に接近させる作業に続けて、コネクタ１０を取付孔Ｒ２に挿入することができる。このとき、電気部品１の組み付け方向が正規の組み付け方向に対して傾いた姿勢となることがあるものの、コネクタ１０がブラケット３０に対して遊動可能に支持されているから、コネクタ１０が取付孔Ｒ２の内周面に押し当てられる等のおそれがなく、円滑な挿入が可能になる。すなわち、電気部品１をケースＲへ組み付ける作業における組み付け誤差を吸収することができるから、コネクタ１０の取付孔Ｒ２に対する円滑な挿入動作を確保することができる。
【００４７】
以上のように本実施形態では、コネクタ１０を取付孔Ｒ２に取り付ける取付途上においては、コネクタ１０の遊動が許容されているから、コネクタ１０の軸芯位置が取付孔Ｒ２の軸心に対して位置ずれするおそれがない。したがって、コネクタ１０を取付孔Ｒ２に取り付ける取付作業が容易になる。
【００４８】
また、コネクタ１０の取付孔Ｒ２への取付方向とコネクタ１０の取付片３２への挿通方向が一致しているため、取付片３２を両挿通溝２３，２４へ挿通する作業に続けて、コネクタ１０を取付孔Ｒ２に取り付ける作業を行うことができる。
【００４９】
また、本例のコネクタ１０では、２つのブラケット保持部２１，２２によってブラケット３０に対して組み付けられているため、ブラケット３０による安定した支持が可能となる。これにより、調芯の安定化が図られる。また、従来のような１つの保持部（係合部）と構造の異なる複数の規制部を設けることがないため、同じブラケット保持部２１，２２を２つ設ける構成としてコネクタ１０のブラケット保持部２１，２２が設けられる側の端部を短尺化させることが可能となる。
【００５０】
次に、本実施形態の効果を記載する。
（１）筒状部１１のコネクタピン部１２が面する側とは反対側の端部（下面１１ａ）から延出してブラケット３０と係合するブラケット保持部２１，２２がその端部に複数設けられる。このようにブラケット保持部２１，２２を複数設ける構成とすることで、ブラケット３０と複数箇所で遊動可能に支持（係合）されることとなるため、ブラケット３０との遊動可能に支持する構成を安定化させて調芯の安定化を図ることができる。
【００５１】
（２）ブラケット保持部２１，２２は２つ設けられ、筒状部１１の周方向１８０度反対側に位置するように設けられるため、ブラケット３０を挿通溝２３，２４に挿通させて係合させる際に安定した支持が可能となる。
【００５２】
（３）複数設けられるブラケット保持部２１，２２の下端面２１ａ，２２ａが面一であるため、コネクタ１０のブラケット保持部２１，２２の下端面２１ａ，２２ａ側で安定して載置することができる。
【００５３】
（４）ブラケット保持部２１，２２の内の１つのブラケット保持部２２が筒状部１１から逸脱した位置に設けられることで、ブラケット保持部２１，２２間の距離が長くなるためブラケット３０による安定した支持が可能となる。
【００５４】
（５）ハーネス保持部４０がブラケット保持部２２に一体的に設けられることで、部品点数を増やすことなくハーネスの保持することができる。
（６）筒状部１１のコネクタピン部１２が面する側とは反対側の端部（下面１１ａ）から延出してブラケット３０と係合するブラケット保持部２１，２２がその端部に複数設けられる。このように同じブラケット保持部２１，２２を複数設ける構成とすることで、ブラケット保持部２１，２２と異なる構造の規制部を省略することができる。コネクタ１０のブラケット保持部２１，２２が設けられる側の端部を短尺化させてコネクタ１０全体の短尺化に寄与できる。
【００５５】
なお、上記実施形態は、以下のように変更してもよい。
・上記実施形態では、第１及び第２ブラケット保持部２１，２２を２つ有する構成としたが、その数は３つ以上に変更してもよい。
【００５６】
・上記実施形態では第１ブラケット保持部２１と第２ブラケット保持部２２とが筒状部１１の周方向１８０度反対側に位置する構成としたが、その角度は任意に変更してもよい。上述したようにブラケット保持部の個数の変更に伴い周方向等角度間隔で設ける構成であってもよい。
【００５７】
・上記実施形態では、第１及び第２ブラケット保持部２１，２２の各下端面２１ａ，２２ａが面一となるように構成したが、これに限らない。第１及び第２ブラケット保持部２１，２２の延出長さを変更し下端面２１ａ，２２ａの位置が異なるような構成としてもよい。
【００５８】
・上記実施形態では、第１ブラケット保持部２１を筒状部１１と上下方向において重なる位置に設け、第２ブラケット保持部２２を筒状部１１と上下方向において重ならない位置（筒状部１１から逸脱した位置）に設ける構成としたが、これに限らない。例えば、第１及び第２ブラケット保持部２１，２２の両方が筒状部１１と上下方向において重ならない位置（筒状部１１から逸脱した位置）に設ける構成や、第１及び第２ブラケット保持部２１，２２の両方が筒状部１１と上下方向において重なる位置に設ける構成としてもよい。
【００５９】
・上記実施形態では、ハーネス保持部４０を第２ブラケット保持部２２と一体的に設ける構成としたが、別の位置にハーネス保持部４０を設ける構成を採用してもよい。
・上記実施形態並びに各変形例は適宜組み合わせてもよい。
【符号の説明】
【００６０】
１…電気部品
１０…コネクタ
１１…筒状部
１２…コネクタピン部（接続部）
２１…第１ブラケット保持部（係合部）
２１ａ…下端面
２２…第２ブラケット保持部（係合部）
２２ａ…下端面
２３…第１挿通溝（挿通溝）
２４…第２挿通溝（挿通溝）
３０…ブラケット（支持部材）
４０…ハーネス保持部
Ｒ…ケース（相手側部材）
【図１】
2019009047.tif 000003
【図２】
2019009047.tif 000004
【図３】
2019009047.tif 000005
【図４】
2019009047.tif 000006
【図５】
2019009047.tif 000007
【図６】
2019009047.tif 000008
【図７】
2019009047.tif 000009
【図８】
2019009047.tif 000010
【図９】
2019009047.tif 000011
【図１０】
2019009047.tif 000012
【図１１】
2019009047.tif 000013
【図１２】
2019009047.tif 000014
【図１３】
2019009047.tif 000015
【手続補正書】
【提出日】平成30年4月11日(2018.4.11)
【手続補正１】
【補正対象書類名】明細書
【補正対象項目名】００３７
【補正方法】変更
【補正の内容】
【００３７】
第１及び第２ブラケット保持部２１，２２において第１挿通溝２３の下端と第２挿通溝２４の上端との間には、第２幅広部３２ｂを収容可能とする第２収容空間２６ｂが形成されている。第２収容空間２６ｂは、その幅寸法が第２幅広部３２ｂの幅寸法よりも幅広に設定され、その上下寸法が第２幅広部３２ｂの上下寸法よりもやや大きめとなるように設定されている。また、第２収容空間２６ｂ内部に収容された第２幅広部３２ｂは、両保護壁２５間で前後方向に自由に移動可能である。